【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
蓋中央パネル及び該蓋中央パネルに折曲可能につながっている少なくとも１つの蓋サイドパネルを含む蓋と、
トレイ中央パネル及び該トレイ中央パネルに折曲可能につながっている少なくとも１つのトレイサイドパネルを含むトレイと、
前記トレイ中央パネル及び前記蓋中央パネルに折曲可能につながっているサイドパネルと、
前記サイドパネルの少なくとも一部にある開口と、
を備える、食品の加熱に用いるカートン。
【請求項２】
前記開口は、前記トレイ中央パネルの少なくとも一部及び前記蓋中央パネルの少なくとも一部にある、請求項１に記載のカートン。
【請求項３】
前記開口は、前記サイドパネルを第１のセクションと第２のセクションとに分割する、請求項１に記載のカートン。
【請求項４】
前記蓋中央パネルは、第１の折曲線において前記サイドパネルに折曲可能につながっており、前記トレイ中央パネルは、第２の折曲線において前記サイドパネルに折曲可能につながっており、前記開口は前記第１の折曲線から前記第２の折曲線まで延在する、請求項３に記載のカートン。
【請求項５】
前記サイドパネル、前記蓋中央パネル、及び前記トレイ中央パネルのうちの少なくとも１つに取り付けられるパッチを更に備え、
前記パッチは透明であるとともに前記開口を覆い、前記カートンに視認窓を形成する、請求項１に記載のカートン。
【請求項６】
前記パッチはポリマーフィルムを含み、
前記パッチは、前記ポリマーフィルムの少なくとも一部に取り付けられるマイクロ波エネルギー相互作用材料を含み、
前記マイクロ波エネルギー相互作用材料は、前記蓋中央パネルに取り付けられる第１の部分と、前記トレイ中央パネルに取り付けられる第２の部分とを含み、
前記第１の部分及び前記第２の部分は前記開口から離間している、請求項５に記載のカートン。
【請求項７】
前記サイドパネル、前記蓋中央パネル、及び前記トレイ中央パネルのうちの少なくとも１つに取り付けられるパッチを更に備え、
前記パッチは透明であるとともに前記開口を覆い、前記カートンに視認窓を形成し、
前記少なくとも１つの蓋サイドパネルは、前記蓋中央パネルのそれぞれの縁においてそれぞれの折曲線に沿って該蓋中央パネルにそれぞれ折曲可能につながっている、第１の蓋サイドパネルと第２の蓋サイドパネルと第３の蓋サイドパネルとを含み、前記第２の蓋サイドパネルは前記第１の蓋サイドパネルに対して斜めであり、前記第３の蓋サイドパネルは前記第１の蓋サイドパネルに対して斜めである、請求項１に記載のカートン。
【請求項８】
前記少なくとも１つのトレイサイドパネルは、前記トレイ中央パネルのそれぞれの縁においてそれぞれの折曲線に沿って該トレイ中央パネルにそれぞれ折曲可能につながっている、第１のトレイサイドパネルと第２のトレイサイドパネルと第３のトレイサイドパネルとを含み、前記第２のトレイサイドパネルは前記第１のトレイサイドパネルに対して斜めであり、前記第３のトレイサイドパネルは前記第１のトレイサイドパネルに対して斜めである、請求項７に記載のカートン。
【請求項９】
前記第１の蓋サイドパネル及び前記第１のトレイサイドパネルは協働して前記カートンの端壁を形成し、前記第２の蓋サイドパネル及び前記第２のトレイサイドパネルは協働して前記カートンの第１の側壁を形成し、前記第３の蓋サイドパネル及び前記第３のトレイサイドパネルは協働して前記カートンの第２の側壁を形成し、前記第１の側壁及び前記第２の側壁は前記端壁に対して角度が付けられており、
前記端壁は第１の端壁であり、前記カートンは、前記第１の端壁に対向する第２の端壁を更に備え、該第２の端壁は、前記サイドパネルと前記視認窓の少なくとも一部とを含み、
前記第１の側壁から前記第２の端壁まで延びる第３の側壁と、前記第２の側壁から前記第２の端壁まで延びる第４の側壁とを更に備える、請求項８に記載のカートン。
【請求項１０】
前記パッチは、前記第２の蓋サイドパネル及び前記第３の蓋サイドパネルのうちの少なくとも一方と接触しており、
前記パッチは、前記第２のトレイサイドパネル及び前記第３のトレイサイドパネルのうちの少なくとも一方と接触している、請求項８に記載のカートン。
【請求項１１】
食品の加熱に用いるカートンを形成するためのブランクであって、
蓋中央パネル及び該蓋中央パネルに折曲可能につながっている少なくとも１つの蓋サイドパネルを含む、該ブランクから形成された前記カートンにおける蓋を形成するための蓋部と、
トレイ中央パネル及び該トレイ中央パネルに折曲可能につながっている少なくとも１つのトレイサイドパネルを含む、該ブランクから形成された前記カートンにおけるトレイを形成するためのトレイ部と、
前記トレイ中央パネル及び前記蓋中央パネルに折曲可能につながっているサイドパネルと、
前記サイドパネルの少なくとも一部にある開口と、
を備える、ブランク。
【請求項１２】
前記開口は、前記トレイ中央パネルの少なくとも一部及び前記蓋中央パネルの少なくとも一部にある、請求項１１に記載のブランク。
【請求項１３】
前記開口は、前記サイドパネルを第１のセクションと第２のセクションとに分割しており、
前記蓋中央パネルは、第１の折曲線において前記サイドパネルに折曲可能につながっており、前記トレイ中央パネルは、第２の折曲線において前記サイドパネルに折曲可能につながっており、前記開口は前記第１の折曲線から前記第２の折曲線まで延在する、請求項１１に記載のブランク。
【請求項１４】
前記サイドパネル、前記蓋中央パネル、及び前記トレイ中央パネルのうちの少なくとも１つに取り付けられるパッチを更に備え、
前記パッチはポリマーフィルムを含み、
前記パッチは、前記ポリマーフィルムの少なくとも一部に取り付けられるマイクロ波エネルギー相互作用材料を含み、
前記マイクロ波エネルギー相互作用材料は、前記蓋中央パネルに取り付けられる第１の部分と、前記トレイ中央パネルに取り付けられる第２の部分とを含む、請求項１１に記載のブランク。
【請求項１５】
カートンを形成する方法であって、
蓋中央パネル及び該蓋中央パネルに折曲可能につながっている少なくとも１つの蓋サイドパネルを含む蓋部と、トレイ中央パネル及び該トレイ中央パネルに折曲可能につながっている少なくとも１つのトレイサイドパネルを含むトレイ部と、前記トレイ中央パネル及び前記蓋中央パネルに折曲可能につながっているサイドパネルと、該サイドパネルの少なくとも一部にある開口とを備えるブランクを得るステップと、
前記少なくとも１つの蓋サイドパネルを前記蓋中央パネルに対して位置決めすることにより前記カートンの蓋を形成するステップと、
前記少なくとも１つのトレイサイドパネルを前記トレイ中央パネルに対して位置決めすることにより、前記サイドパネルによって前記蓋に折曲可能につながっている前記カートンのトレイを形成するステップと、
を含む、方法。
【請求項１６】
前記開口は、前記トレイ中央パネルの少なくとも一部及び前記蓋中央パネルの少なくとも一部にあり、前記開口は、前記サイドパネルを第１のセクションと第２のセクションとに分割しており、
前記蓋中央パネルは、第１の折曲線において前記サイドパネルに折曲可能につながっており、前記トレイ中央パネルは、第２の折曲線において前記サイドパネルに折曲可能につながっており、前記開口は前記第１の折曲線から前記第２の折曲線まで延在する、請求項１５に記載の方法。
【請求項１７】
前記ブランクは、前記サイドパネル、前記蓋中央パネル、及び前記トレイ中央パネルのうちの少なくとも１つに取り付けられるパッチを含み、該パッチは透明であるとともに前記開口を覆い、前記ブランクから形成された前記カートンにおける視認窓を形成する、請求項１５に記載の方法。
【請求項１８】
前記パッチは、ポリマーフィルムを含むとともに、該ポリマーフィルムの少なくとも一部に取り付けられるマイクロ波エネルギー相互作用材料を含み、
前記マイクロ波エネルギー相互作用材料は、前記蓋中央パネルに取り付けられる第１の部分と、前記トレイ中央パネルに取り付けられる第２の部分とを含む、請求項１７に記載の方法。
【請求項１９】
前記マイクロ波エネルギー相互作用材料はサセプタである、請求項１８に記載の方法。
【請求項２０】
食品を前記トレイ内に配置するステップと、前記蓋を前記トレイに対して折り曲げて前記カートンを閉じるステップとを更に含む、請求項１５に記載の方法。
【請求項２１】
前記カートンを電子レンジ内で加熱するステップを更に含む、請求項２０に記載の方法。
【請求項２２】
前記少なくとも１つの蓋サイドパネルは、前記蓋中央パネルのそれぞれの縁においてそれぞれの折曲線に沿って該蓋中央パネルにそれぞれ折曲可能につながっている、第１の蓋サイドパネルと第２の蓋サイドパネルと第３の蓋サイドパネルとを含み、前記第２の蓋サイドパネルは前記第１の蓋サイドパネルに対して斜めであり、前記第３の蓋サイドパネルは前記第１の蓋サイドパネルに対して斜めであり、
前記少なくとも１つのトレイサイドパネルは、前記トレイ中央パネルのそれぞれの縁においてそれぞれの折曲線に沿って該トレイ中央パネルにそれぞれ折曲可能につながっている、第１のトレイサイドパネルと第２のトレイサイドパネルと第３のトレイサイドパネルとを含み、前記第２のトレイサイドパネルは前記第１のトレイサイドパネルに対して斜めであり、前記第３のトレイサイドパネルは前記第１のトレイサイドパネルに対して斜めであり、
前記カートンを閉じるステップは、前記第１の蓋サイドパネルと前記第１のトレイサイドパネルとを対面接触状態に位置決めすることにより端壁を形成するステップと、前記第２の蓋サイドパネルと前記第２のトレイサイドパネルとを対面接触状態に位置決めすることにより第１の側壁を形成するステップと、前記第３の蓋サイドパネルと前記第３のトレイサイドパネルとを対面接触状態に位置決めすることにより第２の側壁を形成するステップとを含み、前記ブランクから形成された前記カートンにおいて、前記第１の側壁及び前記第２の側壁は前記端壁に対して角度が付けられている、請求項２０に記載の方法。
【請求項２３】
前記端壁は第１の端壁であり、前記カートンは、前記第１の端壁に対向する第２の端壁を更に備え、該第２の端壁は、前記サイドパネルと前記視認窓の少なくとも一部とを含み、第３の側壁が前記第１の側壁から前記第２の端壁まで延び、第４の側壁が前記第２の側壁から前記第２の端壁まで延びる、請求項２２に記載の方法。